(57)【要約】【課題】他の人にも再生音を聞かせることができるイヤホン装置をを提供することを目的とする。【解決手段】保持部１１からイヤホンプラグ１４の接続ケーブル１３と、イヤホン本体２３のイヤホンケーブル２２と、サブイヤホン３３のサブイヤホンケーブル３２を延出する。サブイヤホンケーブル３２を、保持部１１内に巻き取り可能に引き出せるように構成し、巻取状態のサブイヤホン３３の基端部を保持部１１の引出穴に挿入した状態で保持できるうように構成する。サブイヤホンケーブル３２をスイッチ４１を介して接続ケーブル１３に接続し、サブイヤホンケーブル３２をイヤホンケーブル２２に並列接続可能に構成する。接続ケーブル１３からの音信号をイヤホン本体２３及びサブイヤホン３３から出力可能の構成する。【選択図】図１
0003152797.tif 000002
【実用新案登録請求の範囲】
【請求項１】
装置に接続される接続部と、該接続部を介して入力された音信号を再生するイヤホン本体とを備えたイヤホン装置において、
前記接続部を介して入力された前記音信号を前記イヤホン本体と共に再生するサブイヤホンを備えたことを特徴とするイヤホン装置。
【請求項２】
前記音信号の前記サブイヤホンへの通電を、操作に応じてオンオフするスイッチを備えたことを特徴とする請求項１記載のイヤホン装置。
【請求項３】
前記サブイヤホンを保持する保持部を前記接続部と前記イヤホン本体との間に設けたことを特徴とする請求項１又は２記載のイヤホン装置。
【請求項４】
前記保持部を対象箇所に係止する為のクリップを備えたことを特徴とする請求項３記載のイヤホン装置。
【考案の詳細な説明】
【技術分野】
【０００１】
本考案は、音信号を再生するイヤホン本体を備えたイヤホン装置に関する。
【背景技術】
【０００２】
近年、屋外で音楽を楽しむ際には、メモリに記憶された音楽データを再生するデジタルオーディオプレーヤや、音楽データをメモリする機能を備えた携帯電話機が使用されている。
【０００３】
これらの機器には、イヤホン端子が設けられており、該イヤホン端子にイヤホンプラグを接続することで、イヤホン本体から音楽を再生できるように構成されている。
【考案の概要】
【考案が解決しようとする課題】
【０００４】
しかしながら、このような従来の機器にあっては、一般的にイヤホン端子が一箇所しか設けられていない。
【０００５】
このため、音楽を一人で楽しむことはできても、友人と楽しむことはできなかった。
【０００６】
本発明は、このような従来の課題に鑑みてなされたものであり、他の人にも再生音を聞かせることができるイヤホン装置を提供することを目的とするものである。
【課題を解決するための手段】
【０００７】
前記課題を解決するために本考案の請求項１のイヤホン装置にあっては、装置に接続される接続部と、該接続部を介して入力された音信号を再生するイヤホン本体とを備えたイヤホン装置において、前記接続部を介して入力された前記音信号を前記イヤホン本体と共に再生するサブイヤホンを備えている。
【０００８】
すなわち、装置に接続される接続部から入力された音信号を、イヤホン本体と共に再生するサブイヤホンを備えている。
【０００９】
このため、前記接続部を前記装置に接続した状態において、該接続部から入力された音信号は、前記イヤホン本体のみならず、前記サブイヤホンからも再生される。
【００１０】
また、請求項２のイヤホン装置においては、前記音信号の前記サブイヤホンへの通電を、操作に応じてオンオフするスイッチを備えている。
【００１１】
すなわち、前記音信号の前記サブイヤホンへの通電をオンオフするスイッチを備えており、前記スイッチを操作することによって、前記サブイヤホンへの前記音信号の通電がオンオフされる。
【００１２】
さらに、請求項３のイヤホン装置では、前記サブイヤホンを保持する保持部を前記接続部と前記イヤホン本体との間に設けた。
【００１３】
すなわち、前記接続部と前記イヤホン本体間には、前記サブイヤホンを保持する保持部が設けられており、前記サブイヤホンを使用しない場合には、当該サブイヤホンは、前記保持部に保持される。
【００１４】
加えて、請求項４のイヤホン装置にあっては、前記保持部を対象箇所に係止する為のクリップを備えている。
【００１５】
すなわち、前記接続部と前記イヤホン本体間に設けられた保持部には、当該保持部を対象箇所に係止する為のクリップが設けられており、当該クリップを利用することによって、前記保持部は、例えば胸ポケットに係止される。
【考案の効果】
【００１６】
以上説明したように本考案の請求項１のイヤホン装置にあっては、前記接続部を装置に接続することによって、該接続部から入力された音信号をイヤホン本体のみならず、サブイヤホンからも再生することができる。
【００１７】
このため、前記サブイヤホンを用いることによって、前記装置から出力された音信号を他の人にも聞かせることができる。
【００１８】
したがって、前記接続部を接続する為の端子が一箇所しか無い一般的な装置であっても、前記イヤホン本体と前記サブイヤホンとを用いることによって、前記装置から出力された音信号を、二人で楽しむことができ、利便性が向上する。
【００１９】
また、請求項２のイヤホン装置においては、前記音信号の前記サブイヤホンへの通電をオンオフするスイッチを備えており、前記スイッチを操作することで、前記サブイヤホンへの前記音信号の通電をオンオフすることができる。
【００２０】
このため、前記サブイヤホンを使用しない場合には、スイッチ操作により前記サブイヤホンへの通電を遮断することで、当該サブイヤホンによる音信号の再生を防止することができる。
【００２１】
これにより、サブイヤホン未使用時での不用意な音漏れを防止することができる。
【００２２】
さらに、請求項３のイヤホン装置では、前記接続部と前記イヤホン本体間には、前記サブイヤホンを保持する保持部が設けられており、前記サブイヤホンを使用しない場合には、当該サブイヤホンを前記保持部に保持することができる。
【００２３】
これにより、前記サブイヤホン未使用時での当該サブイヤホンの不用意な延出や揺動を防止することができ、見栄えの向上と実用性を高めることができる。
【００２４】
加えて、請求項４のイヤホン装置にあっては、接続部とイヤホン本体間に設けられた保持部には、当該保持部を対象箇所に係止する為のクリップが設けられており、当該クリップを利用することによって、前記保持部を胸ポケット等に係止することができる。
【００２５】
これにより、前記保持部の揺動を防止することができ、他との干渉に起因した不具合を未然に解消することができる。
【図面の簡単な説明】
【００２６】
【図１】本考案の第一の実施の形態を示す図である。
【図２】本考案の第二の実施の形態を示す図である。
【図３】本考案の第三の実施の形態を示す図である。
【考案を実施するための形態】
【００２７】
（第一の実施の形態）
【００２８】
以下、本考案の第一の実施の形態を図に従って説明する。
【００２９】
図１は、本実施の形態にかかるイヤホン装置１を示す図であり、該イヤホン装置１は、音信号を音として再生するものである。
【００３０】
このイヤホン装置１は、音信号を出力する装置に接続して使用するものであり、これらの装置としては、メモリに記憶された音楽データを再生するデジタルオーディオプレーヤや、音楽データをメモリする機能を備えた携帯電話機等が挙げられる。これらの装置には、前記音楽データを電気信号からなる音信号として出力する為の端子が設けられており、該端子を介して前記音信号を外部に出力できるように構成されている。
【００３１】
この端子としては、円柱状のイヤホンプラグが接続される円形穴で構成さえたイヤホン端子や、携帯電話機の場合のように平板状のプラグが接続される長穴で構成された多機能端子が知られているが、本実施の形態では、装置側に前記イヤホン端子が設けられた場合を例に挙げて説明する。
【００３２】
前記イヤホン装置１は、矩形ケース状に形成された保持部１１を中心に構成されており、該保持部１１の上端面１２からは、接続ケーブル１３が延出している。該接続ケーブル１３の先端には、接続部としてのイヤホンプラグ１４が設けられており、該イヤホンプラグ１４を装置のイヤホン端子に挿入して接続することで、当該装置から出力される音信号が前記イヤホンプラグ１４及び前記接続ケーブル１３を介して伝達されるように構成されている。
【００３３】
前記保持部１１の下端面２１からは、イヤホンケーブル２２が延出しており、該イヤホンケーブル２２の先端には、一対のイヤホン本体２３，２３が設けられている。各イヤホン本体２３，２３は、左右の耳のそれぞれに装着して使用できるように構成されており、音を出力する為の音出力部２４，２４が設けられている。
【００３４】
このイヤホンケーブル２２は、前記保持部１１内において、前記接続ケーブル１３に電気的に接続されており、前記装置から出力された音信号を前記イヤホン本体２３，２３に伝達することで、当該音信号に応じた音を前記イヤホン本体２３，２３で再生して、前記音出力部２４，２４から出力できるように構成されている。
【００３５】
前記保持部１１の右側面３１からは、サブイヤホンケーブル３２が延出しており、該サブイヤホンケーブル３２の先端には、一対のサブイヤホン３３，３３が設けられている。各サブイヤホン３３，３３は、前記イヤホン本体２３，２３と同形状に形成されており、左右の耳のそれぞれに装着して使用できるように構成されているとともに、音を出力する為の音出力部３４，３４が設けられている。
【００３６】
前記サブイヤホンケーブル３２は、前記保持部１１内に設けられた巻取機構によって巻き取り可能に引き出せるように構成されており、引き出し時には、任意の位置で引き出しを中断することによって、前記保持部１１からの前記サブイヤホンケーブル３２の引き出し量を調整できるように構成されている。この停止位置から前記サブイヤホンケーブル３２をさらに引き出した際には、前記保持部１１から引き出された前記サブイヤホンケーブル３２は、前記巻取機構によって巻き取られるように構成されており、この巻取状態において、前記各サブイヤホン３３，３３は、その基端部が前記保持部１１の引出穴に挿入された状態で当該保持部１１に保持されるように構成されている。
【００３７】
これにより、前記サブイヤホン３３，３３を保持する前記保持部１１が、前記装置に接続される接続部としての前記イヤホンプラグ１４と前記イヤホン本体２３，２３との間に設けられている。
【００３８】
このサブイヤホンケーブル３２は、スイッチ４１を介して前記接続ケーブル１３に電気的に接続されており、当該サブイヤホンケーブル３２は、前記イヤホンケーブル２２に並列接続されるように構成されている。これにより、前記接続ケーブル１３を介して入力された前記音信号を、前記イヤホン本体２３，２３及び前記サブイヤホン３３，３３に伝達できるように構成されており、当該音信号に応じた音を前記イヤホン本体２３，２３及び前記サブイヤホン３３，３３の音出力部２４，２４、３４，３４から出力できるように構成されている。
【００３９】
前記保持部１１の左側面５１には、前記スイッチ４１の操作部５２が設けられており、当該操作部５２をＯＮ側にスライド操作することによって、前記接続ケーブル１３に前記前記サブイヤホンケーブル３２を電気的に接続した状態を形成できるように構成されている。また、前記操作部５２をＯＦＦ側にスライド操作することによって、前記接続ケーブル１３と前記サブイヤホンケーブル３２との電気的な接続状態を切断できるように構成されており、前記接続ケーブル１３からの前記音信号の前記サブイヤホン３３，３３への通電を、前記スイッチ４１の操作に応じてオンオフできるように構成されている。
【００４０】
前記保持部１１の裏面６１には、クリップ６２が設けられており、該クリップ６２は、金属板がＵ字状に折曲された折返し形状に形成されている。このクリップ６２は、その一片６３が前記保持部１１の裏面６１に固定されており、対向する一片６３と他片６４との間には、対象箇所を挟持する挟持空間６５が形成されている。
【００４１】
これにより、当該クリップ６２の前記一片６３及び前記他片６４との間に、対象箇所、具体的には胸ポケット等を挟持することによって、当該保持部１１を係止して固定できるように構成されている。
【００４２】
以上の構成にかかる本実施の形態において、前記イヤホン装置１には、デジタルオーディオプレーヤや携帯電話機等の装置に接続されるイヤホンプラグ１４から入力された音信号をイヤホン本体２３，２３と共に再生するサブイヤホン３３，３３を備えている。
【００４３】
このため、前記イヤホンプラグ１４を前記装置に接続することによって、当該イヤホンプラグ１４から入力された音信号を、前記イヤホン本体２３，２３のみならず、前記サブイヤホン３３，３３からも再生して出力することができる。これにより、前記サブイヤホン３３，３３を用いることによって、前記装置から出力された音信号を他の人にも聞かせることができる。
【００４４】
したがって、前記イヤホンプラグ１４を接続する為の端子が一箇所しか無い一般的な装置であっても、前記イヤホン本体２３，２３と前記サブイヤホン３３，３３とを用いることによって、前記装置から出力された音信号を、二人で楽しむことができ、利便性が向上する。
【００４５】
また、前記イヤホン装置１は、前記音信号の前記サブイヤホン３３，３３への通電をオンオフするスイッチ４１を備えており、該スイッチ４１を操作することによって、前記サブイヤホン３３，３３への前記音信号の通電をオンオフすることができる。
【００４６】
このため、前記サブイヤホン３３，３３を使用しない場合には、スイッチ操作により前記サブイヤホン３３，３３への通電を遮断することで、当該サブイヤホン３３，３３による音信号の再生を防止することができる。
【００４７】
これにより、サブイヤホン３３，３３未使用時での不用意な音漏れを防止することができる。
【００４８】
また、前記イヤホンプラグ１４と前記イヤホン本体３３，３３間には、前記サブイヤホン３３，３３のサブイヤホンケーブル３２を巻き取って、前記各サブイヤホン３３，３３の基端部を引出穴に挿入した状態で当該サブイヤホン３３，３３を保持する保持部１１が設けられており、前記サブイヤホン３３，３３を使用しない場合には、当該サブイヤホン３３，３３を前記保持部１１に保持することができる。
【００４９】
これにより、前記サブイヤホン３３，３３未使用時での当該サブイヤホン３３，３３の不用意な延出や揺動を防止することができ、見栄えの向上と実用性を高めることができる。
【００５０】
そして、前記イヤホンプラグ１４と前記イヤホン本体２３，２３間に設けられた前記保持部１１の裏面６１には、当該保持部１１を対象箇所に係止する為のクリップ６２が設けられており、当該クリップ６２を利用することによって、前記保持部１１を例えば胸ポケットに係止することができる。
【００５１】
これにより、前記保持部１１の揺動を防止することができ、他との干渉に起因した不具合を未然に解消することができる。
【００５２】
なお、本実施の形態にあっては、サブイヤホン３３，３３のサブイヤホンケーブル３２を巻き取る巻き取り式のイヤホン装置１を例に挙げて説明したが、この構造に限定されるものではない。
【００５３】
（第二の実施の形態）
【００５４】
すなわち、図２に示すように、前記保持部１１内に中空状の収容空間１０１を形成するとともに、該収容空間１０１の開口部を開閉する蓋体１０２によって当該保持部１１の表面１０３の一部を構成する。
【００５５】
そして、前記収容空間１０１内に前記サブイヤホンケーブル３２を前記サブイヤホン３３，３３と共に収容できるように構成しても良い。
【００５６】
このように構成することによって、前記サブイヤホン３３，３３未使用時には、当該サブイヤホン３３，３３を前記サブイヤホンケーブル３２と共に前記収容空間１０１内に収容した状態で、前記蓋体１０２によって隠蔽することができる。これにより、外観品質をさらに高めることができる。
【００５７】
（第三の実施の形態）
【００５８】
そして、図３に示すように、前記サブイヤホン３３，３３に適合した凹部２０１，２０１を前記保持部１１の表面１０３に凹設することことによって、前記サブイヤホンケーブル３２を巻取機構で巻き取った状態において、前記サブイヤホン３３，３３を前記凹部２０１，２０１に収容した状態で保持することもできる。
【００５９】
これにより、前記保持部１１の薄型化が可能となり、デザイン性が向上する。
【符号の説明】
【００６０】
１    イヤホン装置
１１    保持部
１４    イヤホンプラグ
２３    イヤホン本体
３３    サブイヤホン
４１    スイッチ
６２    クリップ
【図１】
0003152797.tif 000003
【図２】
0003152797.tif 000004
【図３】
0003152797.tif 000005